(57)【要約】      （修正有）【課題】光接合部のクリーニング手段を備えたアダプタを提供する。【解決手段】１以上の光信号通信リンクを形成するために、第２のコネクタ７２０と物理的及び光学的に結合可能な第１のコネクタ７１０を受け入れるための互いに反対方向を向いた開口部を備えたハウジング１０５を含むアダプタ１００。ハウジング１０５は、整合対を成す光ファイバーの屈折率に近い屈折率を有する可撓性材料１６０を受け入れるためのスロットを有するように構成される。可撓性材料１６０は概ね、コネクタ７１０、７２０の各々からファイバーをカバーするようなサイズを有する。コネクタ７１０、７２０をアダプタ１００に挿入し、可撓性材料１６０を前進させることにより、個々のコネクタ７１０、７２０の光ファイバー端をクリーニングすることができる。可撓性材料１６０がさらに前進された後、光ファイバー間に光信号リンクを形成する。【選択図】図７
2014149523.tif 000002
【特許請求の範囲】
【請求項１】
アダプタであって、
第１のコネクタ結合部及び第２のコネクタ結合部を有するハウジングであって、前記ハウジングが、前記第１のコネクタ結合部の第１の端部に第１の開口部を有し、前記第１の開口部が、第１の光コネクタを受け入れるように構成され、前記ハウジングが、前記第２のコネクタ結合部の第１の端部に第２の開口部を有し、前記第２の開口部が、前記第１の開口部に対し反対方向を向いて、第２の光コネクタを受け入れるように構成され、前記ハウジングが、前記第１のコネクタ結合部と前記第２のコネクタ結合部との間に配置された第３の開口部を形成し、前記第３の開口部が、前記ハウジングを横断するように構成される、ハウジングと、
前記ハウジングの第１の表面に沿って結合されたホルダーであって、前記第３の開口部を通して可撓性材料を提供するように構成され、前記可撓性材料が、前記第１及び第２の光コネクタにおける前記光学媒体の屈折率に近い屈折率を有する、ホルダーと、
前記ハウジングの第２の表面に沿って結合された構造物であって、前記第２の表面が、前記第１の表面に対して反対方向を向いており、前記構造物が、前記可撓性材料の一端部分を支持するように構成される、構造物と
を含むアダプタ。
【請求項２】
前記第１の光コネクタ及び前記第２の光コネクタを各々のコネクタ結合部に挿入し、前記第１の光コネクタ及び前記第２の光コネクタが完全結合位置に近づくに従って、前記第１の光コネクタ及び前記第２の光コネクタの各々の光ポートが、接近経路に沿って互いに整合状態に近づくようにすることによって、前記第１の光コネクタ及び前記第２の光コネクタが、前記アダプタを介して互いに物理的に結合され、及び、前記ハウジング内において互いに光学的に結合される、請求項１に記載のアダプタ。
【請求項３】
前記第１の光コネクタ及び前記第２の光コネクタの各々の光ポートは、前記可撓性材料を横断する光通信リンクを形成する、請求項２に記載のアダプタ。
【請求項４】
前記ハウジングは、前記第１の開口部及び前記第２の開口部の中に、前記第１の光コネクタ及び前記第２の光コネクタの対応する表面と係合するための個々の表面を有するように構成され、前記第１のコネクタの前記光ポートが、前記可撓性材料の第１の表面と接触し、及び、前記第２のコネクタの前記光ポートが、前記可撓性材料の反対側の表面と接触するように構成される、請求項１に記載のアダプタ。
【請求項５】
前記第３の開口部は、前記光コネクタのうちの一方における整合ピン間の離隔距離よりも大きい第１の距離を定義する、請求項１に記載のアダプタ。
【請求項６】
前記第３の開口部は、前記可撓性材料の厚みよりも大きい第２の距離を定義する、請求項５に記載のアダプタ。
【請求項７】
前記ハウジングに結合され、前記第１の表面の上方にある前記可撓性材料、及び前記第３の開口部を実質的に取り囲む第１のカバーをさらに含む、請求項１に記載のアダプタ。
【請求項８】
前記ハウジングに結合され、前記第２の表面を通して前記第２の表面上の前記構造物、及び前記第３の開口部を実質的に取り囲む、請求項７に記載のアダプタ。
【請求項９】
前記ホルダーは、第１のスプールを含む、請求項１に記載のアダプタ。
【請求項１０】
前記構造物は、前記可撓性材料を切断するための縁部を含む、請求項１に記載のアダプタ。
【請求項１１】
前記可撓性材料の一端を前記ハウジングの前記第２の表面に接触させ、固定するように構成されたクランプをさらに含む、請求項１０に記載のアダプタ。
【請求項１２】
前記構造物は、第２のスプールを含む、請求項１に記載のアダプタ。
【請求項１３】
前記第１のスプール及び前記第２のスプールのうちの一方は、ブレーキに係合する、請求項１３に記載のアダプタ。
【請求項１４】
光コネクタの光ポートをクリーニングする方法であって、
第１の光コネクタの光ポートを受け入れるように構成された第１の開口部を有するアダプタを用意するステップであって、前記アダプタが、前記第１の開口部に対して反対方向を向いた第２の開口部を含み、前記第２の開口部が、第２の光コネクタの光ポート端を受け入れるように構成され、前記ハウジングが、前記ハウジングの第１の表面から反対側の表面まで延びるスロットを形成し、前記スロットが、前記スロットに配置された可撓性材料のシートを有する、アダプタを用意するステップと、
前記第１の光コネクタの前記光ポート端を前記第１の開口部に挿入し、前記光ポート端が、前記可撓性材料に接触するようにするステップと、
前記可撓性材料を前記第１の光コネクタの前記光ポート端に沿って前進させるステップと
を含む方法。
【請求項１５】
前記第１の開口部から前記第１の光コネクタの前記光ポート端を取り除くステップと、
前記第２の光コネクタの前記光ポート端を前記第２の開口部に挿入し、前記光ポート端が、前記可撓性部材に接触するようにするステップと、
前記可撓性材料を前記第２の光コネクタの前記光ポート端に沿って前進させるステップと
をさらに含む、請求項１４に記載の方法。
【請求項１６】
前記第２の開口部から前記第２の光コネクタの前記光ポート端を取り除くステップと、
前記第１及び第２の光コネクタの各々の前記光ポート端を再挿入し、前記光ポート端が前記可撓性材料の反対方向を向いた面に接触するようにするステップと
をさらに含む、請求項１５に記載の方法。
【請求項１７】
前記第２の光コネクタの前記光ポート端を前記第２の開口部に挿入し、前記光ポート端が、前記可撓性材料に接触するようにするステップと、
前記第２の光コネクタの前記光ポート端に沿って前記可撓性材料を前進させるステップと
をさらに含む、請求項１４に記載の方法。
【請求項１８】
前進は、ブレーキとの係合を解除した後に実施される、請求項１７に記載の方法。
【請求項１９】
前記可撓性材料を前進させるステップは、前記可撓性材料を引っ張ることを含む、請求項１７に記載の方法。
【請求項２０】
前記可撓性材料の一端をスプールに結合するステップと、
前記スプールを回転させるステップと
をさらに含む、請求項１９に記載の方法。
【請求項２１】
光コネクタ内への光学的な後方反射を低減する方法であって、
第１の表面及び反対方向を向いた表面を含む圧縮可能な材料を用意するステップであって、前記可撓性材料が、前記第１及び第２の光コネクタにおける光透過性媒体の屈折率に近い屈折率を有し、前記圧縮可能な材料が、前記光透過媒体を介して伝送されるある範囲の波長の光に対して透過性である、圧縮可能な材料を用意するステップと、
前記第１のコネクタの光ポート端を前記第１の表面に接触した状態に配置するステップと、
前記第２の光コネクタの個々の光ポート端を前記反対方向を向いた表面に接触した状態に配置するステップと
を含む方法。
【発明の詳細な説明】
【技術分野】
【０００１】
本発明は、光ファイバーを結合するアダプタに関し、特に光接合部をクリーニングし、光学的な後方反射を低減するアダプタに関する。
【背景技術】
【０００２】
光通信システムでは、第１の光ファイバーを第２の光ファイバーに結合することが、しばしば必要となる。こうした光接続、又は光接合は、標準コネクタ対を受け入れ、係合させるアダプタによって実現されている。これらの単一ファイバーコネクタでは、個々のファイバーは通常、フェルールによって終端される。個々のファイバーの端部は通常、フェルールの中のスリーブに配置される前に、クリーニングされる。対応するスリーブは、ファイバーの端部を整合状態に導くために、正確に構成される。一般に、フェルールは、スリーブの個々の表面に対してバイアス力を加え、ファイバーの端部を確実に接触状態に維持するように構成される。光接合部は、適切にクリーニングされ、配置されれば、許容される性能レベルを実現する。
【０００３】
光信号データ速度の増大に伴い、光接合クオリティは益々重要になってきている。光接合クオリティは、インサーション・ロス（減衰）及びリターン・ロス（反射）により定義される。インサーション・ロスは、光接合により生じる信号パワーの差である。リターン・ロスは、光接合部における反射パワーに対する入射パワーの比である。これらのパラメータの測定は、現在、国際電気標準会議（ＩＥＣ）規格６１７５３−１に規定されている。この規格は、マルチモードの場合のインサーション・ロスについて、Ａ（最良）からＤ（最悪）まで、及びＭの５つの等級を含む。この規格はさらに、リターン・ロスについて、１（最良）から５（最悪）まで５つの等級を提供する。多くの工業規格は、ファイバー接続により発生するリターン・ロス及びインサーション・ロスについて厳しい制限を含む。
【０００４】
マルチファイバー・プッシュ・オン（ＭＰＯ）光接合部の場合、結果はかなり異なる。ＭＰＯ光接合部は、プラスチック材料から成形されたフェルールの端部に正確に配置された光ファイバーのアレイを含む。フェルールの端部は一般に、研磨され、フェルールは、フェルールの面を超えて短い距離だけ個々のファイバーを突出させることを可能にするように構成される。ＭＰＯ光接合部は、オス・コネクタ及びメス・コネクタを有するように構成される。オス型コネクタは、コネクタのフェルールから延びるガイドピンを有するように構成される。メス型コネクタは、ガイドピンをしっかりと受け入れる整合ホールを有するように構成される。結果として得られるガラス同士の接触は、接合されたファイバー間におけるエアギャップにより生じることがある信号ロスを排除する。この構成によれば、ファイバ同士の整合及び接触を実現することができるが、マルチファイバー光接合において、光ファイバーの対応する端部の各々の間における意図する整合及び接触を妨げることがある多数の原因が存在する。
【０００５】
ファイバー同士の適切な整合及び接触によれば、２０ｄＢのリターン・ロス（戻ってきたパワーに対する送信したパワーの比）は、容易に達成することができる。従来の光ネットワークでは、リンク全体からの許容可能なリターン・ロスは、最小限１２ｄＢに制限される。１２ｄＢよりも少ないリターン・ロスは、高調波変調ひずみを拡大し、レーザー光源においてノイズを増加させる。その結果、不安定性が生じ、光信号にデータエラーが生じることがある。ガラスと空気の単一の境界は、１４ｄＢのリターン・ロスを生じさせる。ファイバー同士の単一の不適切な接続は、ガラスと空気の境界を２つ生じさせ、１０ｄＢ程の大きさしかないリターン・ロスを生じさせることがある。さらに、不適切な接続は、反射信号と意図する信号との間に干渉を生じさせ、それは、予期しない結果に繋がることがある。
【０００６】
不適切な接続は、多数の原因から発生し得る。例えば、コネクタにおいて光ファイバー端を配置する際の製造上の公差は、所望の構成からの１以上のずれを生じさせることがある。さらに別の例として、フェルールの研磨された表面と、ファイバーを支持する内部スリーブその他の構造物との間におけるばらつきは、露出されたファイバーの長さに意図しないばらつきを生じさせることがある。このばらつきは、研磨工程により、結合表面にわたって平坦でないフェルールが製造された場合にも、発生することがある。また、ガイドピン、及びメス・コネクタにおけるそれらに対応する穴又は窪みのサイズ、形状、及び位置の製造上の公差は、フェルールが結合されたときに、対応するファイバー間に不整合を生じさせることがある。また、フェルール表面に、フェルール材料又は未知の材料の粒子が残留していることがある。フェルール表面をクリーニングするのは標準粒子であるが、標準粒子は、整合ピンの基部付近における汚れを除去することが難しいことがある。上記の原因はいずれも、光接合部のうちの１以上について、ファイバー同士の整合性のある接触を阻害することがある。
【０００７】
ガイドピンを有する従来の（オス）フェルールは、図１Ａに平面図及び側面図として示されている。従来のフェルール１は、基部３を含み、ガイドピン２は、基部３の研磨された表面５を超えて延びている。光ファイバー４は、基部３を横断し、約１から５μｍだけ研磨された表面５を超えて延びている。ガイドピン２を受け入れるように構成された窪みを有する従来の（メス）フェルールは、図１Ｂに平面図及び側面図として示されている。従来のフェルール１０は、窪み１２を有する基部１３を含み、窪み１２は、研磨された表面１５における開口部から、基部１３の中にまで延びている。光ファイバー１４は、基部１３を横断し、約１から５μｍだけ研磨された表面を超えて延びている。
【０００８】
図２は、図１Ａ及び図１Ｂにおいて紹介したフェルール１０を有するフェルール１の不適切な構成を、側面図に示している。図２に示されるように、従来のフェルール１がフェルール１０に対して位置決めされ、近接構成を成しているとき、すなわち、フェルール１のガイドピン２が、フェルール１０の対応する窪み１２に挿入されたとき、研磨された表面５と研磨された表面１５との間にある約２〜１０μｍより大きい寸法の堆積物２０は、光ファイバー４と光ファイバー１４との間に、意図しない隙間２５を生じさせる原因となる。その結果生じる隙間は、個々の光ファイバー対によりサポートされる信号経路における屈折率に急激な変化を生じさせる。光路上の屈折率のそのような急激な変化は、下記の式（１）により定義される反射率Ｒを生成する。
【０００９】
【数１】
2014149523.tif 000003
【００１０】
ここで、ｎ１は、光ファイバーの製造に使用される材料の屈折率であり、ｎｇは、空気の屈折率である。反射光は、透過光の量を減少させる。隙間は、各ファイバーの表面に反射性境界を形成するため、独立した光路の各々における透過光Ｔに対する最小限の損失は、式（２）により定義される。
【００１１】
【数２】
2014149523.tif 000004
【００１２】
インサーション・ロス（これは、反射に起因して、透過光の損失に加算される）は、対応するファイバー対間の離隔距離に応じて変わる。
【００１３】
光ファイバーの終端部における清潔さ問題に対処する試みとして、種々の手段が開発されている。例えば、米国特許第５，９５６，７９３号は、当該手段のハウジングの中に粘着テープのストリップを含む光ファイバー・クリーニング手段を開示している。この手段は、光ファイバーが差し込まれたコネクタに当該手段を分離可能に結合するためのラッチを含む。粘着テープは望ましくない堆積物を捕捉するのに幾らか有効ではあるが、二度目のクリーニング工程によっても除去されない、フェルール（単数又は複数）に粘着した粘着剤は、他の堆積物が表面に付着する原因となり、堆積物は、ファイバー対間に隙間を生じさせることがある。
【００１４】
米国特許出願公開第２００３／００３９４６３は、単一ファイバー光コネクタをクリーニングする手段を開示している。この手段は、ハウジングに設けられたクリーニングシートと、単一ファイバー光コネクタが当該手段に挿入されたときに、ファイバーの外側表面がクリーニングシートに対して平行となるような角度に単一ファイバー光コネクタを導くためのガイド部材とを含む。
【００１５】
多くのデータセンターにおいて、光ネットワークは、ＭＰＯ光接合を備えた平行ファイバーのトランクによりサポートされる。サーバコンピュータ間における一般的な通信リンクは、２以上のＭＰＯ光接合によりサポートされる場合がある。リボンファイバーを迅速に終端するための従来の接続システム、クリーニング手段、及び商業システムは、光接合における複数の光ファイバー間における整合のとれた光結合の実現を妨げる上記の問題を解決しない。そのため、通信リンクにおいてそのようなマルチファイバー光接合の数が増加するに従って、そのようなリンクによりサポートされるネットワーク内の信号完全性は、より大きな危険にさらされる。
【発明の開示】
【課題を解決するための手段】
【００１６】
概要
本発明は、隣接する光透過媒体間に成形可能な透明材料を導入し、光透過媒体への後方反射を低減する。本発明の一実施形態は、第１のコネクタ結合部及び第２のコネクタ結合部を備えたハウジングを有するアダプタに関する。個々の結合部は、第１の光コネクタ及び第２の光コネクタを受け入れるための互いに反対方向を向いた開口部を形成する。ハウジングは、光コネクタにおいて整合対を成す光ファイバーの屈折率に近い屈折率を有する可撓性材料を受け入れるためのスロットを有するようにさらに構成される。可撓性材料は、コネクタの各々からファイバーの少なくとも先端をカバーするサイズを概ね有する。ハウジングの第１の面には、ホルダーが配置される。ホルダーは、可撓性材料をスロットに提供する。ハウジングの第２の面、すなわち反対側の面には、可撓性材料の端部を支持するための構造物が設けられる。
【００１７】
例示的実施形態として、光コネクタの光ポートをクリーニングする方法を開示する。この方法は、第１の光コネクタの光ポート端を受け入れるように構成された第１の開口部を有するアダプタを用意するステップであって、前記アダプタが、前記第１の開口部に対して反対の方向を向いた第２の開口部を含み、前記第２の開口部が、第２の光コネクタの光ポート端を受け入れるように構成され、前記ハウジングが、前記ハウジングの第１の表面から反対側の表面まで延びるスロットを形成し、前記スロットが、前記スロットに配置された可撓性材料のシートを有する、アダプタを用意するステップと、前記第１の光コネクタの前記光ポート端を前記第１の開口部に差し込み、前記光ポート端が、前記可撓性材料に接触するようにするステップと、前記可撓性材料を前記第１の光コネクタの前記光ポート端に沿って前進させるステップとを含む。
【００１８】
他のシステム、方法、特徴、及び利点は、下記の図面及び詳細な説明を検討したときに、当業者には明らかであり、又は明らかになるであろう。そのような他のシステム、方法、特徴、及び利点は、この説明の中に含まれ、本明細書の範囲内であり、添付の特許請求の範囲により保護される。
【００１９】
光コネクタの光ポートをクリーニングするためのアダプタ及び方法は、下記の図面を参照することにより、より良好に理解することができる。図面中の構成要素は、必ずしも寸法どおりに描かれておらず、むしろ、本発明の原理を明確に示すために強調が施されている場合がある。
【図面の簡単な説明】
【００２０】
【図１Ａ】ガイドピンを備えた従来のフェルールを示す平面図及び側面図である。
【図１Ｂ】ガイド穴を備えた従来のフェルールを示す平面図及び側面図である。
【図２】図１Ａ及び図１Ｂにおいて紹介した従来のフェルールの不適切な構成を示す側面図である。
【図３】本発明の例示的実施形態によるアダプタを示す第１の斜視図である。
【図４】本発明の例示的実施形態によるアダプタを示す反対側の斜視図である。
【図５】図３及び図４のアダプタを示す側面図である。
【図６】個々のカバーを備えた図５のアダプタの一実施形態を示す側面図である。
【図７】ＭＰＯコネクタと近接構成を成している図３のアダプタを示す斜視図である。
【図８Ａ】図３のアダプタを横断する可撓性材料と近接構成を成しているＭＰＯコネクタのフェルールを、アダプタを取り除いた状態で示す図である。
【図８Ｂ】光接合を改善するために可撓性材料を有するように構成されたＭＰＯコネクタのフェルールを示す図である。
【図９】光コネクタをアダプタ内において結合する前にクリーニングする方法の一実施形態を含むフロー図である。
【発明を実施するための形態】
【００２１】
背景技術のところで例示したような、マルチファイバー光コネクタにおける光接合部のうちの１以上について適当なファイバー同士の接触を確実に実現することに伴う上記の種々の問題は、光コネクタの光ポートをクリーニングするためのアダプタ及び方法により解消され、その種々の例示的実施形態は、以下に記載される。
【００２２】
上で簡単に説明したように、アダプタは、技術者が、光接合を完成する前に、光コネクタの光ポート、又は光コネクタのフェルールの接続面から堆積物を除去することを可能にする機能を有するように構成される。アダプタは、個々の光コネクタを受け入れるための第１及び第２の互いに反対方向を向いたポートを備えたハウジングを含む。アダプタは、ハウジングに開口部を形成し、ハウジングにおいて、ハウジングの内部空洞を横切って、可撓性材料のシートが挿入される。アダプタの表面に沿ってホルダーが設けられる。ホルダーは、可撓性材料を支持する。一実施形態において、ホルダーは、スピンドルを支持するように構成され、そこに、細長い可撓性材料が、スピンドルを中心として可撓性材料を巻き付けることによって収容される。可撓性材料は、第１及び第２のコネクタにおける光媒体の屈折率に近い屈折率を有する透明で可撓性の柔軟な材料からなる。可撓性材料は、第１の表面に設けられたスロットを通してハウジングの中に入り、ハウジングの第１の表面の反対側の第２の表面に形成された対応するスロットを通してハウジングから出る。アダプタの第２の表面には、構造物が設けられる。この構造物は、可撓性材料の一端部分を支持する。一実施形態では、可撓性材料がハウジング内の空洞に再び入ることを防止するために、可撓性材料の前記一端部分の上において、前記構造物の外側表面にクリップを取り付けてもよい。
【００２３】
可撓性材料は、ポリエチレン、又は、ポリテトラフルオロエチレン（テフロン（登録商標））若しくはポリイミド薄膜（カプトン（登録商標））のような他の適当な材料のシートであってよい。テフロン及びカプトンは、アメリカ合衆国デラウェア州ウィルミントンのイー・アイ・デュポン・ドゥ・ヌムール・アンド・カンパニーの登録商標である。
【００２４】
代替実施形態として、可撓性材料は、スピンドルに巻き付けられるときに破断又は亀裂に十分に耐える程度の可撓性を残してシート状に加工及び構成された複数の層、又は表面から構成されてもよい。ただし、材料及び加工は、屈折率に大きな不連続性又はばらつきを有しない光学的に透明な材料が得られるものでなければならない。可撓性材料は、関心のある波長、又は波長範囲において光学的に透明である。例えば、マルチモード・ファイバーから構成される光接合部のための関心のある波長は、約８５０ｎｍである。好ましくは、可撓性材料は、約５μｍから１２５μｍまでの間の厚みを有する。可撓性材料が薄すぎる場合、例えば、約５μｍ未満の厚みである場合、不均一な研磨、あるいは、光ファイバーの露出された端部間、及び／又は、光接合部を形成する個々のフェルールの一方若しくは両方の研磨された表面間における堆積物により生じることがある隙間を充填することは、困難な場合がある。また、可撓性材料が薄すぎる場合、可撓性材料は、故意ではなく破断することがあり、又は、コネクタの光ポートから堆積物を接触及び除去することは、困難となる場合がある。可撓性材料が厚すぎる場合、例えば約１２５μｍよりも厚い場合、インサーション・ロスが原因で、複数の光接合部を備えた光学リンクは、光学リンクを介した信号損失についての多数の通信規格を満たすことができない場合がある。好ましくは、可撓性材料は、圧縮可能であり、フェルールの研磨された表面から延在することがあるファイバーの露出された端部の周りを形成するように構成される。さらに、可撓性材料は、ネットワーク交換センターにおいて通常遭遇する温度範囲及び温度変化に曝されたときに耐えられるものでなければならず、及び、そのようなセンターにおける他の環境要素又は特性に耐えられるものでなければならない。
【００２５】
第１の光コネクタ及び第２の光コネクタは、ハウジングの個々のコネクタ結合部への挿入により、物理的に結合することができる。第１の光コネクタ及び第２の光コネクタは、ハウジングを横断するスロットに設けられた可撓性材料を介して光学的に結合される。ハウジング内で、第１の光コネクタ及び第２の光コネクタのフェルールのうちの一方を他方（例えば、一方がプラグ状で、他方はソケット状）に挿入することによって、それらを互いに物理的及び光学的に結合することができる。第１の光コネクタ及び第２の光コネクタが完全結合位置に近づくにつれて、第１の光コネクタの光ポート及び第２の光コネクタの光ポートは、接近経路に沿って互いに光学的整合状態に近づく。例示的実施形態において、この接近経路は、第１の光コネクタと第２の光コネクタが、ハウジングの第１のコネクタ結合部及び第２のコネクタ結合部の内側表面により導かれ、１つに結合されるときの方向に対応する直線である。完全結合位置において、第１の光コネクタの光ポートは、第２の光コネクタの光ポートと光学的に整合される。また、個々のフェルールの結合表面は、両方とも互いに物理的に結合される。さらに、第１の光コネクタ及び第２の光コネクタの個々の外側表面は、アダプタによって互いに物理的に結合される。
【００２６】
第１の光コネクタ又は第２の光コネクタのうちのいずれか一方をアダプタに挿入し、個々のフェルールの結合表面又は光学表面を横切って可撓性材料を前進させることにより、その光コネクタの光ポートをクリーニングすることができる。その後、その光コネクタをハウジングから取り外し、残りの光コネクタについても、このプロセスを繰り返すことができる。両方の光コネクタの光ポートから望ましくない堆積物が全て除去された後、可撓性材料を所望の量だけ前進させることにより、他の汚染物又は他の堆積物がそれらの光ポートに隣接する空間に再び入り込まないようにすることができる。
【００２７】
光コネクタをハウジングに係合させるときに、このような形で、アダプタのハウジングのスロットに可撓性材料を挿入し、前進させることによって、汚染物を除去することができ、従って、第１の光コネクタの光ポートと第２の光コネクタの光ポートとの間における光信号特性の大幅な向上が促進される。
【００２８】
本発明によるアダプタは、光コネクタを結合する前の簡単なクリーニングを実現するために配備されることがある。適切に使用されれば、このアダプタは、光接合部における光信号反射から生じるリンク故障の頻度を低減する。
【００２９】
式（１）に示したように、エアギャップに遭遇する光ファイバーの屈折率が、１．４８２である場合、反射信号エネルギーは、下記のようになる。
【００３０】
【数３】
2014149523.tif 000005
【００３１】
本発明によれば、光の波長が８５０ｎｍである場合に、ハウジングにおいて個々の光コネクタの光ポート間に挿入される可撓性材料の屈折率が１．４９５である場合、反射信号エネルギーは、下記のようになる。
【００３２】
【数４】
2014149523.tif 000006
【００３３】
コネクタの光ポートをクリーニングするためのアダプタ、及び方法を概ね説明したところで、本発明によるアダプタの種々の例示的実施形態、及び、図面に示されたような光コネクタの光ポートをクリーニングする方法について、以下で詳細に説明する。
【００３４】
本発明によれば、及び、図３及び図４に示した例示的実施形態に示されるように、接続・クリーニングシステム、又はアダプタ１００は、第１のコネクタ結合部１１０及び第２のコネクタ結合部１２０を備えたハウジング１０５を含む。第１のコネクタ結合部１１０は、開口部１１２を形成し、開口部１１２は、開口部１１２内の表面に対して相補的な形状を有する光コネクタを受け入れるように構成された形状を有する。第２のコネクタ結合部１２０は、開口部１１２に対して反対方向を向いた第２の開口部１２２を形成する。開口部１２２は、開口部１２２内の表面に対して相補的な形状を有する光コネクタを受け入れるように構成された形状を有する。光コネクタ（図示せず）は互いに相補的な形状を有し、コネクタがアダプタ１００の中に挿入され、一体になったときに、第１のコネクタからの少なくとも１つのファイバー端が、第２のファイバー端からの個々のファイバー端と近接構成を成して配置されることを可能にする。
【００３５】
ハウジング１０５は、第１の表面１１５からハウジング１０５の内部空洞の中にまで延びる第３の開口部１３０、又はスロットを形成する。反対側の開口部１３２又はスロットが、第２の表面１２５からハウジング１０５の内部空洞の中にまで延在している。スロット１３０は、ハウジング１０５の第１の表面１１５に沿って、ホルダー１５０上に配置された可撓性材料１６０を受け入れるように構成される。例示的実施形態において、可撓性材料１６０は、ホルダー１５０により支持された円柱又はピンに巻き付けられる。
【００３６】
図４に示されているように、第２の表面１２５は、ハウジング１０５を横切る可撓性材料１６０の一端部分を支持するように構成された構造物１７０を含む。構造物１７０は、所望の長さの可撓性材料１６０を切り出すのに適した縁部１７５を含む。ハウジング１０５から離れたところに示されているクリップ１７６は、クリップ１７６と構造物１７０の表面との間に可撓性材料１６０の前記一端部分を有する形で、構造物１７０の上に近接して配置されることができる。クリップ１７０の両端部に形成されたタブ１７８は、構造物１７０の両側面に沿って形成された対応する窪み１７１と係合する。
【００３７】
例示した実施形態において、スロット１３０及びスロット１３２は、類似の寸法を共有し、可撓性材料１６０がハウジング１０５内の空洞を横切る際に、アダプタ内に挿入されたコネクタの個々のフェルールの光ポートが、可撓性材料１６０と整合されるように構成される。図示のように、スロット１３０及びスロット１３２は、可撓性材料１６０のシートの幅よりも長い長さＤ１、及び可撓性材料１６０の厚みよりも大きい幅Ｄ２を有する。可撓性材料１６０がハウジング１０６の空洞を横切ることができる限り、スロット１３０及びスロット１３２は、異なる寸法又は形状を有するように構成される場合もあるものと理解すべきである。
【００３８】
図３に示されているように、第２の開口部１２２は、光コネクタ（図示せず）の表面上の相補的構造物と接触し、係合するための対向するタブ１２６を備えている。同様に、図４に示されているように、第１の開口部１１２は、光コネクタ（図示せず）の表面上の相補的構造物と接触し、係合するための対向するタブ１１６を備えている。
【００３９】
第１のコネクタが第１の開口部１１２に挿入され、対向するタブ１１６によって係合され、第２のコネクタが第２の開口部１２２に挿入され、対向するタブ１２６によって係合されると、個々のコネクタのフェルールの結合表面上の光ポートは、ハウジング１０５内に配置された可撓性材料１６０の両面に接触する。このような形で係合されたとき、当該結合により、個々のコネクタにおいて終端された光ファイバーの長さの合計によって定義される光接合が形成される。
【００４０】
図５は、図３及び図４のアダプタの側面図である。図５に示されているように、第１のコネクタ結合部１１０は、ハウジング１０５の正面を向いた表面に沿って開口部１１１及び１１７を含む。第１のコネクタ結合部１１０は、図３の斜視図では隠れて見えないハウジング１０５の背面を向いた面に同様の開口部を有するようにさらに構成される。同様の開口部のうちの一方である開口部１１３は、図４において見て取れる。同様に、第２のコネクタ結合部１２０は、図３に示されるように、ハウジング１０５の正面を向いた表面に沿って開口部１２１及び開口部１２７を含む。第２のコネクタ結合部１２０は、ハウジングの背面を向いた面に類似の開口部を有するようにさらに構成される。図４において見て取れるように、それらの開口部は、開口部１２３及び開口部１２９を含む。
【００４１】
ハウジング１０５の第１の接続部分１１０の正面を向いた表面付近に配置された、例えばシート金属スプリングのようなアーマチュア１１４は、アダプタ１００の本体の僅かに外側に延びている。アーマチュア１１４を使用して、アダプタ１００を通信システムのシャーシ又はパネル上の対応する開口部に固定することができる。同様の構成のアーマチュアが、ハウジング１０５の反対側の面に第１の接続部分１１０に沿って配置される。
【００４２】
ハウジング１０５の第１の接続部分１２０の正面を向いた表面付近に配置された、例えばシート金属スプリングのようなアーマチュア１２４は、アダプタ１００の本体の僅かに外側に延びている。アーマチュア１２４を使用して、アダプタ１００を通信システムのシャーシ又はパネル上の対応する開口部に固定することができる。同様の構成のアーマチュアが、ハウジング１０５の反対側の面に第２の接続部分１２０に沿って配置される。
【００４３】
図６は、表面１１５の上に配置されたカバー１８０を示している。カバー１８０は、タブ１８２及びタブ１８４を含む。タブ１８２は、開口部１１１と係合するように構成された隠れて見えない構造物を含む。タブ１８４は、開口部１２１と係合するように構成された隠れて見えない構造物を含む。カバー１８０の反対側には、ハウジング１０５の反対側に設けられた開口部と係合するためのさらに別のタブ（図６では隠れて見えない）が設けられている。このような形で、可撓性材料１６０を支持するホルダー１５０、及びスロット１３０を汚れから保護することができる。図６は、表面１２５に沿って配置されたカバー１９０をさらに示している。カバー１９０は、タブ１９２及びタブ１９４を含む。タブ１９２は、内側面から延びる、開口部１１７と係合するように構成された隠れて見えない構造物を含む。タブ１９４は、開口部１２７と係合するように構成された隠れて見えない構造物を含む。カバー１９０の反対側には、開口部１２３及び開口部１２９と係合するためのさらに別のタブ（図６では隠れて見えない）が設けられている。このような形で、可撓性部材１６０の端部を支持する構造物１７０、及びスロット１３２を汚れから保護することができる。
【００４４】
図７は、ＭＰＯコネクタと近接構成を成す図３のアダプタ１００を示す斜視図である。第１のコネクタ７１０は、開口部１１２内のタブ１１６と係合し、コネクタ７１０をアダプタ１００の第１の接続部分１１０に物理的に結合するように構成された、互いに反対方向を向いたフランジ７１２を有するコネクタハウジングを含む。第１のコネクタ７１０は、フェルール８１５を支持している。フェルール８１５は、光ポート表面を含み、そこから延びるガイドピンを有している。光ポート表面は、個々の光ファイバーの端部を受け入れるように適当に構成された一組の開口部を含む。第２のコネクタ７２０は、開口部１２２内のタブ１２６と係合し、コネクタ７２０をアダプタ１００の第２の接続部分１２０に物理的に結合するように構成された、互いに反対方向を向いたフランジ７２２を有するコネクタハウジングを含む。フェルール８２５は、コネクタ７１０のフェルール８１５から延びるガイドピンを受け入れるように構成された窪みを有する光ポート表面を含む。第２のコネクタ７２０の光ポート表面は、個々の光ファイバーの端部を受け入れるように適当に構成された一組の開口部をさらに含む。図７に示されているように、アダプタ１００又は第１のコネクタ７１０のうちの一方、他方又は両方を軸７５０により定義される接近経路に沿って平行移動（回転させずに移動）させることにより、第１のコネクタ７１０をハウジング１０５の開口部１１２の中に挿入することができる。同様に、アダプタ１００又は第２のコネクタ７２０のうちの一方、他方又は両方を軸７５０に沿って平行移動させることにより、第２のコネクタ７２０をハウジング１０５の開口部１２２の中に挿入することができる。
【００４５】
図８Ａは、可撓性材料１６０と近接構成を成す第１のコネクタ７１０のフェルール８１５、及び第２のコネクタ７２０のフェルール８２５を、ハウジング１０５を取り除いた状態で示す図である。図示のように、フェルール８１５の研磨された表面に沿って配置された光ポート８２０は、ハウジング１０５内の可撓性材料１６０の表面１６１に近づく。同様に、フェルール８２５の研磨された表面に沿って配置された光ポート８３０は、可撓性材料の表面１６３に近づく。矢印は、差込み方向、すなわち対応するコネクタハウジングを介して印加される外力の方向を示し、その結果、図８Ｂに示すような光接合８５０が形成される。光接合８５０は、フェルール８１５からの露出された光ファイバーが、可撓性材料１６０の表面１６１に接触し、フェルール８２５からの露出された光ファイバー８２５が、可撓性材料１６０の表面１６３に接触したときに、形成される。上に示したように、可撓性材料１６０は、好ましい波長範囲にわたる光に対して透過性であり、及び、フェルール８１５及びフェルール８２５における光ファイバーの作成に使用される材料の屈折率と実質的に同じ屈折率を有する。
【００４６】
例示的実施形態にさらに示されているように、可撓性材料１６０は、露出された光ファイバーの各々からの圧縮により、圧縮可能、及び屈曲可能である。動作としては、ファイバー８１８又はファイバー８２４において伝送される変調された光信号は、相補的なフェルールの光ポート間に堆積物を有する光路や、相補的なフェルールの一方又は両方の研磨された表面にわたって表面ばらつきを有する光接続により形成された光路に比べて、低減されたインサーション・ロス、及び実質的に低減されたリターン・ロスで、他方のファイバー端部に光結合される。光接合８５０を横切って光学的に結合された光ファイバー端の各対について、個々の光信号は、可撓性材料１６０によって光結合されるものと理解される。また、可撓性材料１６０は、例えば複数の行を含む光ファイバーのような、他の構成の光ファイバーを光結合する必要に応じて、変更される場合があるものと理解される。
【００４７】
図９は、光コネクタの光ポートをクリーニングし、光接合部における光学的な後方反射を低減する方法の一実施形態を含むフロー図である。上記のとおり、これは、選択された波長内の光に対して透過性の可撓性で圧縮可能な材料を導入することによって実現される。コネクタの光ポートから堆積物をクリーニングするために、オペレータは、光ポートとかかる材料とを接触させ、材料と、光ポートのフェルール又は結合表面とを互いに接触状態に維持ながら材料を動かす。そのような移動が完了した後、各光ポートが材料の反対方向を向いた表面に接触するように、個々の光コネクタを互いに位置決めすることによって、低減されたリターン・ロスを有する光接合が形成される。
【００４８】
図９に示されているように、方法９００は、ブロック９０２から開始され、そこで、個々の光コネクタの光ポート端部を受け入れるように構成された互いに反対方向を向いた開口部を有するアダプタが用意される。アダプタは、互いに反対方向を向いた表面にスロットを含む。可撓性材料のシートが、アダプタの内部に挿入される。シートは、互いに反対方向を向いた表面のうちの一方を介して入り、他方を介して出る。方法９００は、ブロック９０４へと続き、そこで、第１のコネクタの光ポートが、開口部の一方に挿入され、第１のコネクタの光ポートは、可撓性材料に接触させられる。例示した実施形態に示されているように、可撓性シートは、光ポートの露出されたファイバーの全体にわたる幅を有し、その幅は、アダプタにおいて相補的なメス・コネクタに物理的及び光学的に結合されるべきオス・コネクタにおけるガイドポスト間の距離にほぼ等しい。ブロック９０６では、コネクタの光ポートを横切って、可撓性材料が前進される。その後、ブロック９０８において、光コネクタは、アダプタから取り除かれる。
【００４９】
ブロック９１０において、第２のコネクタの光ポートが、他方の開口部に挿入され、第２のコネクタの光ポートは、反対側から可撓性材料に接触させられる。例示した実施形態に示されているように、可撓性シートは、光ポートの露出されたファイバーの全体にわたる幅を有している。ブロック９１２では、コネクタの光ポートを横切って、可撓性材料が前進される。その後、ブロック９１４において、光コネクタは、アダプタから取り除かれる。光ポートから堆積物の除去が完了した後、方法９００は、ブロック９１６へと続き、そこで、光コネクタが、アダプタにおける対応する開口部に挿入され、各光ポートは、アダプタの内部容積を横切る可撓性材料の反対方向を向いた表面に接触させられる。
【００５０】
あるいは、ブロック９０２〜９１２に関連して説明した機能が実施された後、第１のコネクタをアダプタに挿入し、第１及び第２のコネクタの個々の光ポートのファイバー対間に光接合を形成してもよい。
【００５１】
なお、例示的実施形態では、第１のコネクタ７１０がプラグ状であり、第２のコネクタ７２０がソケット状であり、第１のコネクタ７１０の突出するガイドピンが第２のコネクタの窪みに挿入できるように構成されていたが、他の実施形態では、第１のコネクタ７１０のものとして記載した特徴は、代わりに、ソケット状の第１のコネクタに与えられ、逆に、第２のコネクタ７２０のものとして記載した特徴は、代わりに、プラグ状の第２のコネクタに与えられてもよい。コネクタの構成が、アダプタ１００の第１の接続部分１１０又は第２の接続部分１２０のうちの一方に対して相補的である限り、そのような他の実施形態に、構造上の制限が含まれるものと推論してはならない。
【００５２】
なお、ハウジング１０５に対するホルダ１５０及び構造物１７０の場所又は位置、並びに、第１及び第２のコネクタハウジングに対するフランジ７１２又はフランジ７２２の場所又は位置を表す用語は、便宜上の目的で使用されている。なぜなら、コネクタに対するフランジ７１２又はフランジ７２２が、個々のハウジング「上」に配置されるとみなされる場合もあれば、又は個々のハウジングと一体であるとみなされる場合もあるのと同様に、ホルダ１５０及び構造物１７０は、アダプタ１００「上」に配置されると認識される場合もあれば、アダプタ１００と一体であると認識される場合もあるからである。また、開口部１１２にあるものとして説明されたタブ１１６、及び、開口部１２２にあるものとして説明されたタブ１２６は、ハウジング１０５の表面と同一平面を成す表面又は特徴を有する場合もあれば、ハウジング１０５の表面を超えて延在する表面又は特徴を有する場合もある。
【００５３】
本明細書における例示的実施形態における２つの要素間の関係に関する「〜において（in）」という用語の使用は、特に断り又は明確な示唆がない限り、その意味の範囲として「〜上に（on）」を含むことを意図している。逆に、本明細書における例示的実施形態における２つの要素間の関係に関する「〜上に（on）」という用語の使用は、特に断り又は明確な示唆がない限り、その意味の範囲として「〜において（in）」を含むことを意図している。
【００５４】
例示的実施形態において、第１の接続部分１１０及び第２の接続部分１２０は、ＭＰＯコネクタを受け入れるように構成されているが、他の実施形態では、これらは、他のコネクタスタイルの部分をしっかりを受け入れるための他の適当な形状を有する場合がある。
【００５５】
例示的実施形態において、コネクタの各々は、軸７５０に沿って他方のコネクタに近づく。ただし、他の実施形態（図示せず）では、接近経路は、挿入方向とは整合しない場合がある。例えば、カムのような機構を有するコネクタは、挿入方向に対して斜め、若しくは挿入方向から横方向にずれた経路に沿って、あるいは、非直線経路に沿って、２つの光ポートを接近させる場合がある。接近経路を横切ってワイピングクリーナが配置される限り、接近経路の形状、又は、接近経路と挿入方向の間の関係が、ワイピング動作又はクリーニング動作を妨げることはない。
【００５６】
光接合部の光ポートをクリーニングし、光学的な後方反射を低減するためのアダプタ、及び方法の種々の実施形態について、上で説明した。しかしながら、本発明は、添付の特許請求の範囲により規定され、記載した特定の実施形態に制限されることはない。
【００５７】
本発明の例示的実施形態を以下に列挙する。
１．アダプタであって、
第１のコネクタ結合部及び第２のコネクタ結合部を有するハウジングであって、前記ハウジングが、前記第１のコネクタ結合部の第１の端部に第１の開口部を有し、前記第１の開口部が、第１の光コネクタを受け入れるように構成され、前記ハウジングが、前記第２のコネクタ結合部の第１の端部に第２の開口部を有し、前記第２の開口部が、前記第１の開口部に対し反対方向を向いて、第２の光コネクタを受け入れるように構成され、前記ハウジングが、前記第１のコネクタ結合部と前記第２のコネクタ結合部との間に配置された第３の開口部を形成し、前記第３の開口部が、前記ハウジングを横断するように構成される、ハウジングと、
前記ハウジングの第１の表面に沿って結合されたホルダーであって、前記第３の開口部を通して可撓性材料を提供するように構成され、前記可撓性材料が、前記第１及び第２の光コネクタにおける前記光学媒体の屈折率に近い屈折率を有する、ホルダーと、
前記ハウジングの第２の表面に沿って結合された構造物であって、前記第２の表面が、前記第１の表面に対して反対方向を向いており、前記構造物が、前記可撓性材料の一端部分を支持するように構成される、構造物と
を含むアダプタ。
２．前記第１の光コネクタ及び前記第２の光コネクタを各々のコネクタ結合部に挿入し、前記第１の光コネクタ及び前記第２の光コネクタが完全結合位置に近づくに従って、前記第１の光コネクタ及び前記第２の光コネクタの各々の光ポートが、接近経路に沿って互いに整合状態に近づくようにすることによって、前記第１の光コネクタ及び前記第２の光コネクタが、前記アダプタを介して互いに物理的に結合され、及び、前記ハウジング内において互いに光学的に結合される、１に記載のアダプタ。
３．前記第１の光コネクタ及び前記第２の光コネクタの各々の光ポートは、前記可撓性材料を横断する光通信リンクを形成する、２に記載のアダプタ。
４．前記ハウジングは、前記第１の開口部及び前記第２の開口部の中に、前記第１の光コネクタ及び前記第２の光コネクタの対応する表面と係合するための個々の表面を有するように構成され、前記第１のコネクタの前記光ポートが、前記可撓性材料の第１の表面と接触し、及び、前記第２のコネクタの前記光ポートが、前記可撓性材料の反対側の表面と接触するように構成される、１に記載のアダプタ。
５．前記第３の開口部は、前記光コネクタのうちの一方における整合ピン間の離隔距離よりも大きい第１の距離を定義する、１に記載のアダプタ。
６．前記第３の開口部は、前記可撓性材料の厚みよりも大きい第２の距離を定義する、５に記載のアダプタ。
７．前記ハウジングに結合され、前記第１の表面の上方にある前記可撓性材料、及び前記第３の開口部を実質的に取り囲む第１のカバーをさらに含む、１に記載のアダプタ。
８．前記ハウジングに結合され、前記第２の表面を通して前記第２の表面上の前記構造物、及び前記第３の開口部を実質的に取り囲む、７に記載のアダプタ。
９．前記ホルダーは、第１のスプールを含む、１に記載のアダプタ。
１０．前記構造物は、前記可撓性材料を切断するための縁部を含む、１に記載のアダプタ。
１１．前記可撓性材料の一端を前記ハウジングの前記第２の表面に接触させ、固定するように構成されたクランプをさらに含む、１０に記載のアダプタ。
１２．前記構造物は、第２のスプールを含む、１に記載のアダプタ。
１３．前記第１のスプール及び前記第２のスプールのうちの一方は、ブレーキに係合する、１３に記載のアダプタ。
１４．光コネクタの光ポートをクリーニングする方法であって、
第１の光コネクタの光ポートを受け入れるように構成された第１の開口部を有するアダプタを用意するステップであって、前記アダプタが、前記第１の開口部に対して反対方向を向いた第２の開口部を含み、前記第２の開口部が、第２の光コネクタの光ポート端を受け入れるように構成され、前記ハウジングが、前記ハウジングの第１の表面から反対側の表面まで延びるスロットを形成し、前記スロットが、前記スロットに配置された可撓性材料のシートを有する、アダプタを用意するステップと、
前記第１の光コネクタの前記光ポート端を前記第１の開口部に挿入し、前記光ポート端が、前記可撓性材料に接触するようにするステップと、
前記可撓性材料を前記第１の光コネクタの前記光ポート端に沿って前進させるステップと
を含む方法。
１５．前記第１の開口部から前記第１の光コネクタの前記光ポート端を取り除くステップと、
前記第２の光コネクタの前記光ポート端を前記第２の開口部に挿入し、前記光ポート端が、前記可撓性部材に接触するようにするステップと、
前記可撓性材料を前記第２の光コネクタの前記光ポート端に沿って前進させるステップと
をさらに含む、１４に記載の方法。
１６．前記第２の開口部から前記第２の光コネクタの前記光ポート端を取り除くステップと、
前記第１及び第２の光コネクタの各々の前記光ポート端を再挿入し、前記光ポート端が前記可撓性材料の反対方向を向いた面に接触するようにするステップと
をさらに含む、１５に記載の方法。
１７．前記第２の光コネクタの前記光ポート端を前記第２の開口部に挿入し、前記光ポート端が、前記可撓性材料に接触するようにするステップと、
前記第２の光コネクタの前記光ポート端に沿って前記可撓性材料を前進させるステップと
をさらに含む、１４に記載の方法。
１８．前進は、ブレーキとの係合を解除した後に実施される、１７に記載の方法。
１９．前記可撓性材料を前進させるステップは、前記可撓性材料を引っ張ることを含む、１７に記載の方法。
２０．前記可撓性材料の一端をスプールに結合するステップと、
前記スプールを回転させるステップと
をさらに含む、１９に記載の方法。
２１．光コネクタ内への光学的な後方反射を低減する方法であって、
第１の表面及び反対方向を向いた表面を含む圧縮可能な材料を用意するステップであって、前記可撓性材料が、前記第１及び第２の光コネクタにおける光透過性媒体の屈折率に近い屈折率を有し、前記圧縮可能な材料が、前記光透過媒体を介して伝送されるある範囲の波長の光に対して透過性である、圧縮可能な材料を用意するステップと、
前記第１のコネクタの光ポート端を前記第１の表面に接触した状態に配置するステップと、
前記第２の光コネクタの個々の光ポート端を前記反対方向を向いた表面に接触した状態に配置するステップと
を含む方法。
【符号の説明】
【００５８】
１００  アダプタ
１０５  ハウジング
１１０  第１のコネクタ結合部
１１２  第１の開口部
１２０  第２のコネクタ結合部
１２２  第２の開口部
１３０  第３の開口部
１５０  ホルダー
１６０  可撓性材料
１７０  構造物
７１０  第１の光コネクタ
７２０  第２の光コネクタ
７５０  接近経路
【図１Ａ】
2014149523.tif 000007
【図１Ｂ】
2014149523.tif 000008
【図２】
2014149523.tif 000009
【図３】
2014149523.tif 000010
【図４】
2014149523.tif 000011
【図５】
2014149523.tif 000012
【図６】
2014149523.tif 000013
【図７】
2014149523.tif 000014
【図８Ａ】
2014149523.tif 000015
【図８Ｂ】
2014149523.tif 000016
【図９】
2014149523.tif 000017